(57)【要約】  本発明は、インナーフレキシブルスクリーン・モバイル端末用ヒンジを提供する。ヒンジは、左側サポート構造と、右側サポート構造と、中間サポート構造とを備え、一対の左側リンクアームと一対の右側リンクアームとをさらに備えており、前記左側リンクアームと右側リンクアームは、それぞれ中間サポート構造の左側と右側に回転可能に連結されており、左側回転サポーターと右側回転サポーターは、ヒンジが閉じられると、下向けに低位に回動し、フレキシブルスクリーンの弯曲部位が収容されるスペースが形成される。対応するフレキシブルスクリーンが平らに開かれる状態になるまでヒンジが回動すると、前記左側回転サポーターと右側回転サポーターは高位に回動し、前記左側サポート構造と右側サポート構造には、それぞれ右側回転サポーターと右側回転サポーターの回転ガイド構造が設けられている。  本発明は構造が簡単で、信頼性が高く、本発明のヒンジを携帯電話や電子ブック、コンピューターなどモバイル端末に使用する場合、それらのヒンジとして使用できるだけでなく、それらのフレキシブルスクリーンのサポート構造として使用することもできる。【選択図】図１
2021501940.tif 000002
【特許請求の範囲】
【請求項１】
インナーフレキシブルスクリーン・モバイル端末用ヒンジであって、
左側サポート構造と、右側サポート構造と、中間サポート構造とを備え、
当該ヒンジは、一対の左側リンクアームと、一対の右側リンクアームとをさらに備え、
前記左側リンクアームと右側リンクアームは、それぞれ中間サポート構造の左側と右側に回転可能に連結され、
前記左側サポート構造と左側リンクアーム、および、右側サポート構造と右側リンクアームとは、スライド連結されるとともに、スライディング・ストローク・リミット構造を備え、
当該ヒンジの内側において、一対の左側リンクアームの間には左側回転サポーターが、右側リンクアームの間には右側回転サポーターが、それぞれ設けられ、
前記左側回転サポーターと右側回転サポーターは、それぞれ中間サポート構造の右側と左側の上部に回転可能に連結されており、
前記左側リンクアームと左側サポート構造との間、右側リンクアームと右側サポート構造との間には、それらの相対回転を防ぐ構造を備え、
前記左側リンクアームと左側サポート構造との間、右側リンクアームと右側サポート構造との間には、圧縮スプリングを備え、
前記左側回転サポーターと右側回転サポーターは、ヒンジが閉じられる時に、下向けに低位に回動し、フレキシブルスクリーンの弯曲部位が収容されるスペースが形成され、
前記ヒンジが、対応するフレキシブルスクリーンが平らに開かれる状態になるまで回転すると、前記左側回転サポーターと右側回転サポーターは、高位に回動し、
前記左側サポート構造には、左側回転サポーターの回転ガイド構造を備え、
前記右側サポート構造には、右側回転サポーターの回転ガイド構造を備えている、
ことを特徴とするインナーフレキシブルスクリーン・モバイル端末用ヒンジ。
【請求項２】
前記左側リンクアームと右側リンクアームとの間は、反対方向に同期して回転させる伝動機構によって連結されている、ことを特徴とする請求項１に記載のインナーフレキシブルスクリーン・モバイル端末用ヒンジ。
【請求項３】
前記中間サポート構造、左側回転サポーターと右側回転サポーター、左側サポート構造、および、右側サポート構造は、フレキシブルスクリーンが平らに開かれる時の支持構造を協働して構成する、ことを特徴とする請求項１に記載のインナーフレキシブルスクリーン・モバイル端末用ヒンジ。
【請求項４】
前記中間サポート構造と左側リンクアームとの間及び右側リンクアームとの間にはトルク機構が設置される、ことを特徴とする請求項１に記載のインナーフレキシブルスクリーン・モバイル端末用ヒンジ。
【請求項５】
前記左側回転サポーターと右側回転サポーターは、それぞれ複数のフィンガー構造が一体的に繋がっており、
前記回転ガイド構造は、グリッド状に並べられたガイドプレ−トと、ガイド溝とを備え、
前記ガイドプレートは、フィンガー構造の隙間に嵌められている、
ことを特徴とする請求項１に記載のインナーフレキシブルスクリーン・モバイル端末用ヒンジ。
【請求項６】
前記回転ガイド構造はガイド溝を備え、
前記左側回転サポーターと右側回転サポーターは、前記ガイド溝と嵌まり合うガイドロッドをそれぞれ備え、
前記ガイド溝の頂部には平溝が設けられており、ヒンジを利用して対応するフレキシブルスクリーンが平らな状態になるように回転すると、前記左側サポート構造と右側サポート構造が中間に戻る動きによって、前記ガイドロッドが前記平溝に入り、かつ、対応するフレキシブルスクリーンが平らに開かれた状態でヒンジが回動してロックされる、
ことを特徴とする請求項１に記載のインナーフレキシブルスクリーン・モバイル端末用ヒンジ。
【請求項７】
前記トルク機構は、一対のスプリング・チューブ部品を備え、
前記スプリング・チューブ部品は、中間サポート構造に設けられており、
前記スプリング・チューブ部品は、左側リンクアームと右側リンクアームにそれぞれ対応するスプリング・チューブを有し、
一つのスプリング・チューブ部品は、同一側の左側リンクアームと右側リンクアームと対応するとともに、それぞれ軸によって連結されており、
前記軸は、中間サポート構造、スプリング・チューブ及びリンクアームに挿通されており、
前記軸は、前記リンクアームに固定的に連結され、
前記軸は、中間サポート構造に隙間ばめとなり、かつ、
前記軸は、スプリング・チューブにクランプされている、ことを特徴とする請求項４に記載のインナーフレキシブルスクリーン・モバイル端末用ヒンジ。
【請求項８】
前記左側リンクアームと前記右側リンクアームは、それぞれ左側サポート構造や右側サポート構造の内側に配置され、
前記スライディング・ストローク・リミット構造は、長穴とピンの嵌め合い構造を有する、
ことを特徴とする請求項４に記載のインナーフレキシブルスクリーン・モバイル端末用ヒンジ。
【請求項９】
モバイル端末の内側にフレキシブルスクリーンが設けられ、
前記モバイル端末には、請求項１から８のいずれかに記載のヒンジが設けられ、
前記フレキシブルスクリーンは、前記ヒンジの内側に敷設されるとともに、前記中間サポート構造との間で、前記中間サポート構造の中間部位だけと固定的に連結されている、ことを特徴とするインナーフレキシブルスクリーン・モバイル端末。
【発明の詳細な説明】
【技術分野】
【０００１】
本発明はモバイル端末及びそのヒンジに関する。
【背景技術】
【０００２】
フレキシブルスクリーンは新しく現れたスクリーンである。フレキシブルスクリーン・モバイル端末の機械構造にとって、当面解決せねばならぬ問題は、モバイルスクリーンが閉じられる時にフレキシブルスクリーンによって求められる弯曲の特徴に適応するように、いかにフレキシブルスクリーンを支え、フレキシブルスクリーンがモバイル端末に使えるようにすることである。
【発明の概要】
【発明が解決しようとする課題】
【０００３】
本発明は、構造が簡単で、フレキシブルスクリーンの内側においてモバイル端末用ヒンジとして使用できるインナーフレキシブルスクリーン・モバイル端末用ヒンジを提供することを目的とする。
【課題を解決するための手段】
【０００４】
左側サポート構造と、右側サポート構造及び中間サポート構造を含み、さらに、一対の左側リンクアームと一対の右側リンクアームを含み、左側リンクアームと右側リンクアームは、それぞれ中間サポート構造の左側と右側に回転可能に連結され、左側サポート構造と左側リンクアーム、および、右側サポート構造と右側リンクアームとは、スライド連結されるとともに、スライディング・ストローク・リミット構造を備え、
前記ヒンジの内側において、一対の左側リンクアームの間には左側回転サポーターが、右側リンクアームの間には右側回転サポーターが、それぞれ設けられ、
前記左側回転サポーターと右側回転サポーターは、それぞれ中間サポート構造の右側と左側の上部に回転可能に連結されており、前記左側リンクアームと左側サポート構造との間、右側リンクアームと右側サポート構造との間には、それらの相対回転を防ぐ構造を備え、前記左側リンクアームと左側サポート構造との間、右側リンクアームと右側サポート構造との間には、圧縮スプリングを備え、前記左側回転サポーターと右側回転サポーターはヒンジが閉じられる時に、下向けに低位に回動し、フレキシブルスクリーンの弯曲部位が収容されるスペースが形成され、前記ヒンジが対応するフレキシブルスクリーンが平らに開かれる状態になるまで回転されると、前記左側回転サポーターと右側回転サポーターは、高位に回動し、前記左側サポート構造は左側回転サポーターの回転ガイド構造を備え、右側サポート構造には、右側回転サポーターの回転ガイド構造を備えている、ことを特徴とするインナーフレキシブルスクリーン・モバイル端末用ヒンジ。
【０００５】
上記技術手段に基づき、本発明では以下さらなる技術手段またはこれらの技術手段を組み合わせて使用することもできる。
【０００６】
左側リンクアームと右側リンクアームとの間は、反対方向に同期して回転させる伝動機構によって連結されていてもよい。
【０００７】
前記中間サポート構造、左側回転サポーターと右側回転サポーター、左側サポート構造、および、右側サポート構造は、フレキシブルスクリーンが平らに開かれる時の支持構造を協働して構成してもよい。
【０００８】
前記中間サポート構造と左側リンクアームとの間及び右側リンクアームとの間にはトルク機構が設置されていてもよい。
【０００９】
前記左側回転サポーターと右側回転サポーターはそれぞれ複数のフィンガー構造が繋がって一体になり、前記回転ガイド構造は、グリッド状に並べられてなるガイドプレ−トと、ガイド溝とを備えており、前記ガイドプレートは、フィンガー構造の隙間に嵌められてもよい。
【００１０】
前記回転ガイド構造はガイド溝を備え、前記左側回転サポーターと右側回転サポーターは、ガイド溝と嵌め合うガイドロッドをそれぞれ備え、前記ガイド溝の頂部には平溝が設けられており、ヒンジを利用して対応するフレキシブルスクリーンが平らな状態に回転すると、前記左側サポート構造と右側サポート構造は中間に戻るように動き、前記ガイドロッドが前記平溝に入り、かつ、対応するフレキシブルスクリーンが平らに開かれた状態でヒンジが回動してロックされてもよい。
【００１１】
前記トルク機構は一対のスプリング・チューブ部品を備え、前記スプリング・チューブ部品は中間サポート構造に設けられ、前記スプリング・チューブ部品は、それぞれ左側リンクアームと右側リンクアームに対応するスプリング・チューブを有し、一つのスプリング・チューブ部品は同一側の左側リンクアームと右側リンクアームと対応するとともに、それぞれ軸によって連結されており、前記軸は、中間サポート構造、スプリング・チューブ及びリンクアームに挿通されており、そのうち、前記リンクアームには固定連結され、中間サポート構造には隙間ばめとなり、スプリング・チューブにはクランプされた関係であってもよい。
【００１２】
前記左側リンクアームと前記右側リンクアームはそれぞれ左側サポート構造や右側サポート構造の内側に位置し、前記スライディング・ストローク・リミット構造は長穴とピンの嵌め合い構造を有していてもよい。
【００１３】
本発明が解決しようとする第２の課題：
上記ヒンジを利用したインナーフレキシブルスクリーン・モバイル端末を提供することを目的とする。
【００１４】
課題を解決するための技術手段：
モバイル端末の内側にフレキシブルスクリーンが設置され、前記モバイル端末には前記いずれかのヒンジが設けられ、前記フレキシブルスクリーンは、前記ヒンジの内側に敷設されるとともに、前記中間サポート構造との間で、前記中間サポート構造の中間部位だけと固定的に連結される、ことを特徴とするインナーフレキシブルスクリーン・モバイル端末。
【発明の効果】
【００１５】
本発明の技術手段を利用することによって、本発明は構造が簡単で、信頼性が高くなり、インナーフレキシブルスクリーンに対する支持を実現するとともに、インナーフレキシブルスクリーンが閉じられる時の弯曲需要を満たすことができる。
【００１６】
本発明のヒンジを携帯電話や電子ブック、コンピューターなどモバイル端末に使用する場合、それらのヒンジとして使用できるだけでなく、それらのフレキシブルスクリーンのサポート構造として使用することもでき、携帯電話やコンピューターを開く又は閉じる時に、フレキシブルスクリーンが自由に開かれる／曲がるようにし、フレキシブルスクリーンが携帯電話やＥブック、コンピューターなどのモバイル端末に使用できるようにし、モバイル端末がコンパクトの構造でビッグスクリーン・ディスプレイを実現できるようにする。
【図面の簡単な説明】
【００１７】
【図１】図１は、本発明のヒンジがモバイル端末に使用される時の分解図である。
【図２】図２は、本発明のヒンジがモバイル端末に使用される時、平らに開かれている時の俯瞰図である。
【図３】図３は、本発明のヒンジがモバイル端末に使用される時、平らに開かれている時の断面図の一である。
【図４】図４は、本発明のヒンジがモバイル端末に使用される時、平らに開かれている時の断面図の二である。
【図５】図５は、本発明のヒンジがモバイル端末に使用される時、閉じられている時の断面図の一である。
【図６】図６は、本発明のヒンジがモバイル端末に使用される時、閉じられている時の断面図の二である。
【図７】図７は、本発明のヒンジがモバイル端末に使用される時、９０°近くに開かれている時の断面図の一である。
【図８】図８は、本発明のヒンジがモバイル端末に使用される時、９０°近くに開かれている時の断面図の二である。
【図９】図９は、本発明のヒンジがモバイル端末に使用される時、平ら近くに開かれている時の断面図の一である。
【図１０】図１０は、本発明のヒンジがモバイル端末に使用される時、平ら近くに開かれている時の断面図の二である。
【図１１】図１１は、本発明のヒンジがモバイル端末に使用される時、閉じられている時の略図である。
【図１２】図１２は、本発明のヒンジがモバイル端末に使用される時、９０°近くに開かれている時の略図である。
【図１３】図１３は、本発明のヒンジがモバイル端末に使用される時、平ら近くに開かれている時の略図である。
【発明を実施するための形態】
【００１８】
図面のとおり、本発明は、インナーフレキシブルスクリーン・モバイル端末用ヒンジを提供する。ヒンジには、左側サポート構造と、右側サポート構造及び中間サポート構造１００が含まれている。中間サポート構造１００は、ヒンジが閉じられる時の厚みを基本的に収容できる厚みに応じた、一定の幅を有している。左側サポート構造には、固定連結用のケーシング１１とケーシングの内側に位置するフレキシブルスクリーン支持板１２が含まれている。右側サポート構造には、固定連結用のケーシング２１とケーシングの内側に位置するフレキシブルスクリーン支持板２２が含まれている。
【００１９】
ヒンジには、さらに、一対の左側リンクアーム３と一対の右側リンクアーム４とが含まれている。左側リンクアーム３と右側リンクアーム４は、それぞれ中間サポート構造１００の左側と右側に回転可能に連結されている。左側サポート構造は左側リンクアーム３と、右側サポート構造は右側リンクアーム４とスライド連結されるとともに、スライディング・ストローク・リミット構造が設置されている。ストローク・リミット構造は、長穴とピンとの嵌め合い構造を使用することができる。左側リンクアーム３と右側リンクアーム４は、それぞれ左側サポート構造や右側サポート構造の内側に位置している。ケーシング１１、２１は、内側にねじ穴１３、２３を備えている。左側リンクアーム３と右側リンクアーム４は、長穴３１、４１を備えている。ねじ１４、２４は、長穴３１、４１を通り抜けてねじ穴１３、２３と連結される。
【００２０】
左側リンクアーム３と右側リンクアーム４とは、反対方向に同期して回転させる伝動機構によって連結されている。つまり、左側サポート構造と右側サポート構造とが同期して開くことが実現される。伝動機構は、歯車機構を使用することができる。歯車機構は、それぞれ左側リンクアーム３と右側リンクアーム４に設置される歯車３２、４２を含んでいる。歯車３２，４２は、ヒンジが開かれる動作の要求に従って設計された同じパラメータを有している。歯車３２、４２は、本実施例のように対称であってもよいし、非対称式であってもよい。
【００２１】
伝動機構は、左側リンクアーム３と右側リンクアーム４との間の反対方向回転を実現するための、その他の形態を採用することもできる。伝動機構は、同期した反対方向回転であってもよい。或いは、伝動機構は、ヒンジが開き／閉じ中、ある段階において、そのうちの一つの段階で一時停止させることができるものであってもよい。
【００２２】
ヒンジの内側において、左側リンクアーム３の間には左側回転サポーター５が、右側リンクアーム４の間には右側回転サポーター６が、それぞれ設けられている。左側回転サポーター５と右側回転サポーター６は、それぞれ中間サポート構造１００の左側と右側上部と回転軸５０、６０を通じて回転可能に連結されている。左側リンクアーム３と左側サポート構造との間、および、右側リンクアーム４と右側サポート構造との間には、それらの相対回転を防ぐための構造３５、４５が備えられている。回転防止構造は、平面対平面の構造、又はキー溝嵌め合い構造を使用することができる。
【００２３】
左側リンクアーム３と左側サポート構造との間、および、右側リンクアーム４と右側サポート構造との間には、圧縮スプリング３３、４３が備えられている。圧縮スプリングは、左側リンクアーム３と右側リンクアーム４の取り付け穴３４、４４に取り付けられている。
【００２４】
左側回転サポーター５と回転サポーター６は、ヒンジが閉じられると、フレキシブルスクリーン弯曲部位を収容するスペース２００を形成するために下向に低位に回動する。対応するフレキシブルスクリーンが平らに開かれる状態になるまで、ヒンジを回転すると、左側回転サポーター５と右側回転サポーター６は、高位に回動する。左側サポート構造と右側サポート構造は、それぞれ右側回転サポーターと右側回転サポーターの回転をガイドする構造が設置されている。
【００２５】
図に示されているとおり、本発明において、左側回転サポーター５と右側回転サポーター６が下向きに回転する時に、左側リンクアーム３と右側リンクアーム４と中間サポート構造１００との間の角度も変化する。ヒンジが閉じられる時に、左側回転サポーター５と右側回転サポーター６は、ほとんど平らな状態でスペース２００の底部まで下がつて、スペース２００を最大にする。
【００２６】
左側回転サポーター５と右側回転サポーター６は、それぞれ複数のフィンガー構造が一体的に繋がっている。回転ガイド構造は、グリッド状に並べられたガイドプレ−ト７１と、ガイド溝７２とを備えている。ガイドプレート７１は、フィンガー構造の隙間に嵌まる。左側回転サポーター５と右側回転サポーター６は、ガイド溝７２と嵌まり合うガイドロッド５１，６１をそれぞれ備えている。ガイド溝７２の頂部には平溝７２０が設けられている。
【００２７】
対応するフレキシブルスクリーンが平らな状態になるように、ヒンジが回転すると、ヒンジは、フレキシブルスクリーンの長さによって拘束され、左側サポート構造と右側サポート構造が、中間に戻る動きによって、ガイドロッド５１、６１は平溝７２０に入る。そして、対応するフレキシブルスクリーンが開かれた状態になるまでヒンジが回動してロックされる。
【００２８】
グリッド状のガイドプレート７１は、連結構造７３を通じて一体に連結され、その後、左側サポート構造と、右側サポート構造に取り付けられる。左側回転サポーター５と右側回転サポーター６は、プレートやブロックなどのその他の回転部品を使用することもできる。
【００２９】
中間サポート構造と左側リンクアームとの間及び右側リンクアームとの間には、操作の手触りを向上し、いつでも随時停止、いつでもポジショニングできる機能を提供するために、トルク機構が設置される。トルク機構は、一対のスプリング・チューブ部品８を備えている。スプリング・チューブ部品８は、中間サポート構造１００に設けられている。スプリング・チューブ部品８は、左側リンクアームと右側リンクアームにそれぞれ対応するスプリング・チューブ８１、８２を有している。一つのスプリング・チューブ部品８は同一側の左側リンクアーム３と右側リンクアーム４に対応しており、それぞれ軸８０によって連結されている。軸８０は、中間サポート構造、スプリング・チューブ及びリンクアームに挿通されている。軸８０は、リンクアームに固定的に連結されており、中間サポート構造には隙間ばめとなり、スプリング・チューブにはクランプされた関係である。トルク機構は、相対回転が発生する、その他の部位との間に設けられてもよい。
【００３０】
上記ヒンジを用いたモバイル端末として、携帯電話とｅブックを例に挙げると、フレキシブルスクリーン３００は、ヒンジの内側に敷設されるとともに、中間サポート構造との間では、中間サポート構造１００の中間部位１０１とだけ固定的に連結される。フレキシブルスクリーンは、左側サポート構造と右側サポート構造とに固定的に連結される。中間サポート構造１００、左側回転サポーター５と右側回転サポーター６、左側サポート構造、および、右側サポート構造は、一緒になってフレキシブルスクリーンが開かれる時の支持構造となる。
【００３１】
上記説明は、本発明の具体的な一実施形態に過ぎない。本発明の構造特徴はこれに限られるものではなく、本分野の技術者によって、本発明の分野において行なわれる、いかなる変更や改変は、いずれも本発明の特許請求の範疇に属する。
【図１】
2021501940.tif 000003
【図２】
2021501940.tif 000004
【図３】
2021501940.tif 000005
【図４】
2021501940.tif 000006
【図５】
2021501940.tif 000007
【図６】
2021501940.tif 000008
【図７】
2021501940.tif 000009
【図８】
2021501940.tif 000010
【図９】
2021501940.tif 000011
【図１０】
2021501940.tif 000012
【図１１】
2021501940.tif 000013
【図１２】
2021501940.tif 000014
【図１３】
2021501940.tif 000015
【国際調査報告】
2021501940.tif 000016
2021501940.tif 000017
2021501940.tif 000018
2021501940.tif 000019
2021501940.tif 000020